(57)【特許請求の範囲】
【請求項１】
シャフトと、該シャフトの元部に固定されたグリップと、前記シャフトの先端部に固定され、かつ撒き餌を掬うカップとを備えた撒き餌杓において、
前記シャフトの元部のうち、前記グリップの固定位置より前記カップ方向へ離間した位置に指掛け部材が固定された撒き餌杓。
【発明の詳細な説明】
【技術分野】
【０００１】
この発明は撒き餌杓、詳しくは撒き餌釣りの際、撒き餌を海または川などの投入ポイントに撒くための撒き餌杓に関する。
【背景技術】
【０００２】
ウキ釣りの方法の一種として、例えば海に投入された釣り針の周辺に、オキアミなどの撒き餌を撒き、餌の匂いで魚を集めて釣果を高める「撒き餌釣り」が知られている。この釣り法では、例えばバッカン（餌入れ容器）に入った撒き餌を撒き餌杓により掬い取り、その後、「手返し」により手首の向きを変え、撒き餌杓を振ることで、撒き餌を目標の投入ポイントへ撒く。
【０００３】
従来の撒き餌杓としては、例えば、本願出願人が先に特許出願して出願公開された特許文献１に記載のものなどが知られている。特許文献１の撒き餌杓は、シャフトの元部にグリップを固定し、シャフトの先部に撒き餌を掬うカップを固定するとともに、グリップのシャフト側の端部に、突起状の指掛け部が一体形成されている。
【０００４】
この構成により、遠方まで撒き餌を飛ばせるようにシャフトを長く形成しても、撒き餌をバッカンから掬い易く、指掛け部に指を掛けることで手返しが安定し、この掬い動作から撒き動作への移行もスムーズとなり、目標のポイントへ撒き餌を投入する正確さも高まる。さらに、指を突起状の指掛け部に引っ掛けて撒き餌杓を使用するので、長時間にわたる撒き餌釣りで撒き餌杓の使用回数が増えても、手首や腕などが疲れ難く、指なども痛め難い。
【先行技術文献】
【特許文献】
【０００５】
【特許文献１】特開２００１−１７８３４１号公報
【発明の概要】
【発明が解決しようとする課題】
【０００６】
しかしながら、特許文献１の撒き餌杓の場合、シャフトの元部は、グリップの指掛け部の形成部分の内部を貫通し、そのグリップの元側領域に埋め込まれていた。これにより、露出したシャフトの長さは、指掛け部の長さ分だけ短くなっていた。そのため、指掛け部が存在しない一般的な撒き餌杓のものより長尺なシャフトを使用しなければ、カップに入った撒き餌に作用する遠心力が小さくなり、撒き餌の飛距離が短くなるおそれがあった。
【０００７】
そこで、発明者は鋭意研究の結果、指掛け部材をグリップから離間した状態でシャフトの元部に固定すれば、上述した問題は全て解消することを知見し、この発明を完成させた。
すなわち、この発明は、バッカンなどの餌入れ容器から撒き餌を掬い取り易く、かつシャフトの長さが同一という条件であっても、指掛け部がグリップに一体形成された従来品と比較して、撒き餌の飛距離を大きくすることができる撒き餌杓を提供することを目的としている。
【課題を解決するための手段】
【０００８】
請求項１に記載の発明は、シャフトと、該シャフトの元部に固定されたグリップと、前記シャフトの先端部に固定され、かつ撒き餌を掬うカップとを備えた撒き餌杓において、
前記シャフトの元部のうち、前記グリップの固定位置より前記カップ方向へ離間した位置に指掛け部材が固定された撒き餌杓である。
【０００９】
請求項１に記載の発明によれば、例えばバッカンから撒き餌を掬い取る際には、グリップから離間した指掛け部材に指を掛けて残りの指でグリップを握るため、撒き餌が掬い易くなる。これは、指掛け部材に指をかけることで、この指がグリップと指掛け部材とを一体化する連結材となり、見掛け上、シャフトの長さが短縮し、撒き餌杓の操作性が高まるためである。
【００１０】
しかも、カップに撒き餌を押し込む際には、指掛け部材がグリップと一体化した従来品のように、押し込み力に抗してシャフトがグリップの先端を中心にして撓むのではなく、グリップの先端を基点とした場合よりシャフトが短くなる指掛け部材の先端を中心にして撓む。すなわち、シャフト上の力点（指掛け部材）から作用点（カップ）までの長さが短くなり、その分、シャフトの撓み量が小さくなり、大きい力で撒き餌を掬い取ることができる。
また、指掛け部材がグリップから分離しているため、餌撒き時に撓むシャフトの長さは、従来品の場合のようにカップから指掛け部材までの長さではなく、カップから指掛け部材の形成位置を超えたグリップまでの長さとなる。その結果、撒き餌を撒く場合、使用されるシャフトの長さが同一という条件であっても、回転半径が大きくなって従来品の場合に比べて撒き餌入りカップの遠心力が増大し、撒き餌の飛距離を従来品より大きくすることができる。
【００１１】
シャフトの素材としては、例えば、ステンレス、チタンなどの各種の金属、カーボン繊維またはボロン繊維が配合されたポリエチレン、ポリプロピレン、ポリアミドなどの各種の合成樹脂の他、各種の木材を採用することができる。
シャフトは棒材でも管材でもよい。シャフトは、一端部（グリップ固定側の端部）が元部で、その反対側の他端部（カップ固定側の端部）が先端部となる。
シャフトの長さは、例えば４０〜６５ｃｍである。４０ｃｍ未満では、シャフトが短すぎて撒き餌を遠くまで飛ばし難い。また、６０ｃｍを超えれば、シャフトが撓りすぎて力が分散し、撒き餌をカップに充填する際に大きい力を必要とする。ただし、一般的なシャフトの長さ（４０〜５０ｃｍ）より長いものが好ましい。
【００１２】
「シャフトの元部のうち、グリップの固定位置よりカップ方向へ離間した位置（グリップと指掛け部材との隙間）」とは、グリップの先端からシャフトの先端へ向かって、一般的な成人男性がグリップを握ったとき、指掛け部材に指を掛けられる程度に離れた位置（までの長さ）である。具体的には、グリップの先端からシャフトの先端へ向かって例えば１０〜２０ｍｍである。１０ｍｍ未満では、グリップと指掛け部材との間の距離が短くなりすぎて、例えば撒き餌を撒く際などにシャフトが撓り難い。また、２０ｍｍを超えれば成人男性であっても指を指掛け部材に掛け難い。もちろん、使用者の指の長さに応じてこの隙間の寸法は適宜変更される。
【００１３】
グリップの素材としては、例えば、各種の木、コルク、各種の合成樹脂製などを採用することができる。
また、グリップの表面は、皮革、合成皮革、布、スポンジ、ゴムなどで被覆してもよい。これにより、グリップの表面の滑り止め効果およびクッション性を高めることができる。
【００１４】
さらに、指掛け部材に掛ける指を除いた残りの指でグリップをしっかりと握れるように、グリップの表面に浅い指掛け凹部または凹凸部を形成してもよい。また、グリップの表面に滑り止め用の溝を所定条数だけ形成してもよい。
撒き餌としては、例えば、砕いた貝類、エビ、オキアミ、アミ、集魚剤、パン粉などを採用することができる。
カップの素材としては、例えば、ポリカーボネート、ＡＢＳ、ポリエチレンなどの各種の合成樹脂、ステンレス、チタンなどの各種の金属の他、各種の木材を採用することができる。カップの形状は任意である。例えば、半円形状、卵を縦に半割した形状などを採用することができる。
【００１５】
ここでいう「指掛け部材」とは、グリップを握った手の指が掛止（押し当てを含む）される部材をいう。具体的には、グリップの握り側の手の五指のうち、グリップを握った指を除く指（例えば人差し指）を掛ける部材である。
指掛け部材の素材としては、例えば、上述したグリップの素材として挙げたものなどを採用することができる。
指掛け部材の形状としては、例えば、外観が球体の数珠玉形状、外観が瓜形の長玉形状、外観が砲弾形の円筒形状などを採用することができる。
指掛け部材の長さは１５〜３５ｍｍである。１５ｍｍ未満では、指掛け部材に指を掛け難い。また、３５ｍｍを超えれば、指掛け部材が大きくなりすぎて邪魔になる。指掛け部材の好ましい長さは２３〜２７ｍｍである。この範囲であれば、指掛け部材に指を掛けた際の指のおさまり具合がよく、かつ掛けた指の遊びも少なくて撒き餌をカップに充填する際に指が外へ逃げ難い。
【００１６】
指掛け部材には、その外周面に指を引っ掛ける指掛け突起または指掛け凹部を形成してもよい。撒き餌杓の使用時、指掛け突起または指掛け凹部に指を掛けてグリップを握るため、指掛け部材への指掛け状態が安定する。そのため、撒き餌杓の操作性がさらに高まり、餌撒き時に撒き餌杓を落とし難い。
指掛け突起および指掛け凹部の形成位置は、例えば、カップの開口方向を上に向けてグリップを握った状態を基準としたとき、指掛け部材の左側または右側とすることができる。また、指掛け突起および指掛け凹部を２つ形成する場合には、指掛け部材の左側および右側の両方に配設してもよい。
【００１７】
指掛け突起の形状としては、例えばフック形状、リング形状、ピン形状、半球形状などが挙げられる。
指掛け突起の長さは１０〜３０ｍｍである。１０ｍｍ未満では成人男性が指を引っ掛け難く、３０ｍｍを超えれば、撒き餌杓の収納時や持ち運び時に指掛け部材が邪魔になる。
指掛け突起の形成数は１つでも、２つ以上でもよい。
指掛け凹部の形状としては、例えば所定方向へ長い溝形状、スポット的に凹んだクレータ形状などを採用することができる。指掛け凹部の形成数は１つでも、２つ以上でもよい。指掛け突起および指掛け凹部は、長尺なシャフトの先端部に存在するカップの開口方向を示唆すガイドも兼ねることができる。
【発明の効果】
【００１８】
請求項１に記載の発明によれば、バッカンなどから撒き餌を掬い取る際、グリップから離間した指掛け部材に指を掛けてグリップを握るため、見掛け上、シャフトの長さが短縮し、撒き餌杓の操作性が高まり、撒き餌が掬い易くなる。しかも、カップに撒き餌を押し込む際には、指掛け部材の先端を中心にして撓むため、その分、シャフトの撓み量が小さくなり、大きい力で撒き餌を掬い取ることができる。
【００１９】
また、指掛け部材がグリップから分離しているため、餌撒き時に撓むシャフトの長さは、カップから指掛け部材の形成位置を超えたグリップまでの長さとなる。その結果、撒き餌を撒く場合、シャフトの長さが同一という条件であっても、指掛け部がグリップと一体化された従来品に比べてカップに入った撒き餌に作用する遠心力が大きくなり、撒き餌の飛距離を延ばすことができる。
【図面の簡単な説明】
【００２０】
【図１】この発明の実施例１に係る撒き餌杓の斜視図である。
【図２】この発明の実施例１に係る撒き餌杓の使用状態を示す要部拡大平面図である。
【図３】この発明の実施例１に係る別の態様の撒き餌杓の使用状態を示す要部拡大平面図である。
【図４】この発明の実施例１に係るまた別の態様の撒き餌杓の使用状態を示す要部拡大平面図である。
【図５】この発明の実施例１に係るさらに別の態様の撒き餌杓の使用状態を示す要部拡大平面図である。
【図６】この発明の実施例１に係るさらにまた別の態様の撒き餌杓の要部拡大平面図である。
【図７】この発明の実施例１に係るその他の態様の撒き餌杓の要部拡大平面図である。
【発明を実施するための形態】
【００２１】
以下、この発明の実施例を具体的に説明する。
【実施例】
【００２２】
図１および図２において、１０はこの発明の実施例１に係る撒き餌杓で、この撒き餌杓１０は、最大直径が８ｍｍ、最小直径が６ｍｍ、長さが５０ｃｍのカーボン繊維により強化されたプラスチックであるＣＦＲＰ（Ｃａｒｂｏｎ  Ｆｉｂｅｒ  Ｒｅｉｎｆｏｒｃｅｄ  Ｐｌａｓｔｉｃ）製で先細り形状のシャフト１１と、シャフト１１の元部に固定された直径２５ｍｍ、長さ１１０ｍｍのコルク製のグリップ１２と、シャフト１１の先端部に固定され、かつ撒き餌を掬う長さ５０ｍｍ、最大深さ２５ｍｍの卵を縦割りにした形状のステンレス製のカップ１３とを備えたものである。
【００２３】
グリップ１２には、その軸線上にシャフト１１の挿入孔１２ａが形成されている。また、シャフト１１の元部のうち、グリップ１２の固定位置（グリップ１２の先端面）よりカップ方向へ最短距離で１０ｍｍ離間した位置には、軸線上にシャフト１１の挿通孔１４ａが形成された砲弾形状で、かつ合成樹脂からなる指掛け部材１４が固定されている。指掛け部材１４は中実の部材でも、中空の部材でもよい。
指掛け部材１４の外周面のうち、カップ１３の開口方向を上に向けてグリップ１２を握った状態を基準としたとき、指掛け部材１４の右側には、先部がシャフト１１の先端側へ屈曲したフック形状の指掛け突起１５が、指掛け部材１４と同一素材で一体形成されている。指掛け突起１５の長さは２３ｍｍである。
【００２４】
次に、図１および図２を参照して、この発明の実施例１に係る撒き餌杓１０の使用方法を説明する。ここでは、左利きの使用者が撒き餌杓を利き手に握って使用する場合について説明する。なお、使用者が右利きの場合には、図１および図２に示す左利き用の指掛け部材１４とは指掛け突起１５が反対側に配置された右利き用のもの（図示せず）を使用し、以下の動作と同様の操作を右手で行うものとする。もちろん、使用時のカップ１３の向きは反対になるものの、左利き用の撒き餌杓を右利きの使用者が利用してもよい。
例えば、バッカンから撒き餌を掬い取る際には、まず、図２に示すように左手の五指のうち、人差し指を除く四指でグリップ１２を握り、グリップ１２から離間した指掛け部材１４の指掛け突起１５に左手の人差し指を背後から巻き付けるように引っ掛ける。
【００２５】
このように指掛け部材１４に指を掛けることで、この指があたかもグリップ１２と指掛け部材１４とを一体化する連結材となり、見掛け上、シャフト１１の長さが短縮し、撒き餌杓１０の操作性が高まる。
しかも、カップ１３に撒き餌を押し込む際には、従来品のように、押し込み力に抗してシャフトがグリップの先端を中心にして撓むのではなく、グリップ１２の先端を基点とした場合よりシャフト１１が短くなる指掛け部材１４の先端を中心にして撓む。すなわち、シャフト上の力点（指掛け部材）から作用点（カップ）までの長さが短くなり、その分、シャフト１１の撓み量が小さく、大きい力で撒き餌を掬い取ることができる。
【００２６】
また、このように指掛け部材１４に指を掛けたまま、引き続き撒き餌のスローイング動作へ移行することができる。例えば、アンダースロー投法の場合には、「手返し」による手首の向きの変更が、オーバースロー投法に比べてスムーズとなるとともに、目標のポイントへ撒き餌を投入する正確さも高まる。さらに、指を指掛け突起１５に掛けた状態で撒き餌杓１０を使用するため、長時間にわたり撒き餌釣りを行っても、手首や腕などが疲れ難く、指なども痛め難い。
【００２７】
さらに、餌撒き時に撓むシャフト１１の長さは、従来品の場合のようにカップ１３から指掛け部材１４までの長さではなく、カップ１３から指掛け部材１４の形成位置を超えたグリップ１２までの長さとなる。これは、指掛け部材１４がグリップ１２から分離しているためである。その結果、撒き餌を撒く場合、シャフト１１の長さが同一という条件であっても、指掛け部がグリップに一体形成された従来品の場合に比べて、カップ１３に入った撒き餌に作用する遠心力が大きくなり、撒き餌の飛距離を延ばすことができる。
【００２８】
なお、指掛け部材１４としては、図３に示すような指掛け突起１５を省略したものを採用してもよい。この場合、指掛け部材１４は、その外周面の全域がなだらかな曲面となる。使用時には、人差し指を指掛け部材１４の外周面の一側部に押し当てる。この場合も、指掛け突起１５を有するものと略同等の効果が得られる。
また、図４に示すように、指掛け部材１４の外周面のうち、指掛け突起１５が形成された位置に、平面視して楕円形状の指掛け用凹部１４ｃを形成してもよい。指掛け用凹部１４ｃに指を掛けることで、指掛け部材１４に指を固定することができる。しかも、指掛け突起１５と同じように、暗がりでも指掛け部材１４の外周面上での指掛け用凹部１４ｃの形成位置を基点とし、カップ１３の開口方向を推測することができる。なお、指掛け部材１４の外周部のうち、指掛け凹部１４ｃが形成された側の元部１４ｄは、その他の部分より曲率が小さくなっている。これは、シャフト１１を振って撒き餌を撒くとき、指が元部１４ｄの表面をスムーズにスライド可能とするためである。
【００２９】
さらに、図５に示すように、指掛け部材１４とグリップ１２との隙間ｄを、湾曲自在な弾性スペーサ１６により埋めてもよい。弾性スペーサ１６は、撒き餌を撒くときなどに、グリップ１２の先端を起点としたシャフト１１の撓りを妨げない天然スポンジ、プラスチックからなる軟質発泡体（合成スポンジ）または軟質ゴムなどの素材からなる。
これにより、撒き餌を撒く際、指掛け部材１４に掛けた指がスムーズにグリップ側へスライドし、撒き餌をさらに遠くまで飛ばすことができる。なお、この弾性スペーサ１６は、指掛け部材１４に指掛け突起１５が形成された撒き餌杓１０にも適用することができる。弾性スペーサ１６は、指掛け部材１４とグリップ１２との隙間ｄの全域を埋める大きさのもの方が好ましいが、この隙間ｄの一部のみを埋めるものでもよい。
【００３０】
さらに、図６に示すように、グリップ１２の指掛け部材１４側の端面のうち、シャフト１１の軸線を中心とした周方向におけるカップ１３の開口側とは反対側の端部には、カップ１３の開口方向を示唆する開口方向示唆突起１７を形成してもよい。開口方向示唆突起１７の外周面は、グリップ１２の外周面を延長した仮想面上に存在する。
開口方向示唆突起１７は舌片板形状である。また、開口方向示唆突起１７の長さは、指掛け部材１４とグリップ１２との隙間ｄ（１５ｍｍ）より短い８〜１０ｍｍである。これにより、指掛け部材１４に指を掛けた際、その指が開口方向示唆突起１７にも接触し、例えば目視が困難な夜釣りの場合でも、カップ１３の開口方向を、指で感じた開口方向示唆突起１７の形成位置から推定することができる。
【００３１】
この開口方向示唆突起１７は、図７に示すように指掛け部材１４のグリップ１２側の端面に形成してもよい。なお、図７に示す指掛け部材１４は、その両端面に凹部１４ｂを形成することで、指掛け部材１４のうち、シャフト１１に固定される部分の長さを短くすることができる。この短くなった分だけシャフト１１がスムーズに撓り、カップ１３に入った撒き餌に作用する遠心力を大きくすることができる。なお、凹部１４ｂは、指掛け部材１４の上端面のみに形成しても、下端面のみに形成しても、さらにはグリップ１２の先端面に、凹部１４ｂと同一形成の別の凹部を形成してもよい。なお、掛止凹部１４ｃが形成された指掛け部材１４（図４）に対しても、凹部１４ｂを形成することができる。この場合、凹部１４ｂと同一形状の別の凹部を、グリップ１２の先端面に形成すれば、シャフト１１の撓りがさらにスムーズになる。
【産業上の利用可能性】
【００３２】
この発明は、例えば川または海での撒き餌釣りを行う際に有用である。
【符号の説明】
【００３３】
１０  撒き餌杓、
１１  シャフト、
１２  グリップ、
１３  カップ、
１４  指掛け部材。
【図１】
0005588760.tif 000002
【図２】
0005588760.tif 000003
【図３】
0005588760.tif 000004
【図４】
0005588760.tif 000005
【図５】
0005588760.tif 000006
【図６】
0005588760.tif 000007
【図７】
0005588760.tif 000008